(57)【要約】【課題】雌側ハウジングに設けたシール部を保護する。【解決手段】コネクタＡは雌側ハウジング１０と雄側ハウジング３０を備える。雌側ハウジング１０は、外周にシール面１３（雌側シール部）を備え、雌端子金具１９を収容するインナハウジング１１と、インナハウジング１１を、シール面１３を覆い隠す保護位置とシール面１３に対する保護を解除する保護解除位置との間での進退を可能に保持するアウタハウジング２０とを備える。雄側ハウジング３０は、雄端子金具３６を保持する端子保持部３１と、端子保持部３１から突出してアウタハウジング２０を包囲するフード部３２と、端子保持部３１に設けられてシール面１３と密着するシールリング３４（雄側シール部）を備える。【選択図】図１
2013038028.tif 000002
【特許請求の範囲】
【請求項１】
互いに嵌合可能な雌側ハウジングと雄側ハウジングとを備え、
前記雌側ハウジングは、
外周に雌側シール部を備え、雌端子金具を収容するインナハウジングと、
前記インナハウジングを、前記雌側シール部を覆い隠す保護位置と前記雌側シール部に対する保護を解除する保護解除位置との間での進退を可能に保持するアウタハウジングとを備えており、
前記雄側ハウジングは、
雄端子金具を保持する端子保持部と、
前記端子保持部から突出した形態であって、前記アウタハウジングを包囲するフード部と、
前記端子保持部に設けられ、前記雌側シール部と密着可能な雄側シール部とを備えていることを特徴とするコネクタ。
【請求項２】
前記雌側シール部が、前記インナハウジングの外周面に一体に形成したシール面であることを特徴とする請求項１記載のコネクタ。
【請求項３】
前記雌側ハウジングと前記雄側ハウジングには、両ハウジングの嵌合途中で互いに干渉することにより前記両ハウジングの嵌合動作を規制し、この干渉状態において前記両ハウジングに所定の嵌合力を付与したときには少なくとも一方が弾性撓みして干渉状態が解除され、前記両ハウジングが正規嵌合状態に至ると互いに係止して前記両ハウジングを離脱規制状態にロックする一対のロック部が設けられており、
前記インナハウジングには、前記雌側ハウジングを前記雄側ハウジングへ嵌合させる方向へ動かすための操作部が設けられ、
前記インナハウジングと前記アウタハウジングには、互いに係止することにより前記インナハウジングが前記保護位置から前記保護解除位置へ進出することを規制する一対の仮係止部と、前記インナハウジングが前記保護解除位置へ進出した状態で互いに係止する一対の本係止部とが設けられ、
前記一対の仮係止部の係止状態は、前記一対のロック部の干渉状態を解除するのに必要な嵌合力よりも小さい力で前記操作部を操作したときに解除され、
前記一対の本係止部は、前記一対のロック部の干渉状態を解除するのに必要な嵌合力と同じ力で前記操作部を操作しても、係止状態を維持するようになっていることを特徴とする請求項１又は請求項２記載のコネクタ。
【発明の詳細な説明】
【技術分野】
【０００１】
本発明は、コネクタに関するものである。
【背景技術】
【０００２】
特許文献１には、雌形端子金具が収容される雌側ハウジングの端子収容部に、雄形端子金具が取り付けられる雄側ハウジングのフード部を外嵌し、端子収容部の外周に形成したシール面とフード部の内周に設けたシール部材との密着により、両ハウジングの嵌合部分の隙間をシールする技術が開示されている。また、特許文献２には、雌形端子金具が収容される雌側ハウジングの端子収容部に、雄形端子金具が取り付けられる雄側ハウジングのフード部を外嵌し、端子収容部の外周に設けたシール部材とフード部の内周に形成したシール面との密着により、両ハウジングの嵌合部分の隙間をシールする技術が開示されている。
【先行技術文献】
【特許文献】
【０００３】
【特許文献１】特開２００１−２８３９７２号公報
【特許文献２】特開２００９−２７２２５３号公報
【発明の概要】
【発明が解決しようとする課題】
【０００４】
上記のコネクタにおいては、両ハウジングが非嵌合の状態において、端子収容部の外周のシール面やシール部材を保護するために、雌側ハウジングには、端子収容部を包囲する形態の筒状嵌合部が形成されている。この筒状嵌合部の内周と端子収容部の外周との間の空間は、フード部を進入させるための嵌合空間となっているのであるが、この嵌合空間は、雌側ハウジングの正面側へ開放されているため、嵌合空間内に異物が侵入してシール面やシール部材を損傷させることが懸念される。
本発明は上記のような事情に基づいて完成されたものであって、雌側ハウジングに設けたシール部を保護することを目的とする。
【課題を解決するための手段】
【０００５】
上記の目的を達成するための手段として、請求項１の発明は、互いに嵌合可能な雌側ハウジングと雄側ハウジングとを備え、前記雌側ハウジングは、外周に雌側シール部を備え、雌端子金具を収容するインナハウジングと、前記インナハウジングを、前記雌側シール部を覆い隠す保護位置と前記雌側シール部に対する保護を解除する保護解除位置との間での進退を可能に保持するアウタハウジングとを備えており、前記雄側ハウジングは、雄端子金具を保持する端子保持部と、前記端子保持部から突出した形態であって、前記アウタハウジングを包囲するフード部と、前記端子保持部に設けられ、前記雌側シール部と密着可能な雄側シール部とを備えているところに特徴を有する。
【０００６】
請求項２の発明は、請求項１に記載のものにおいて、前記雌側シール部が、前記インナハウジングの外周面に一体に形成したシール面であるところに特徴を有する。
【０００７】
請求項３の発明は、請求項１または請求項２に記載のものにおいて、前記雌側ハウジングと前記雄側ハウジングには、両ハウジングの嵌合途中で互いに干渉することにより前記両ハウジングの嵌合動作を規制し、この干渉状態において前記両ハウジングに所定の嵌合力を付与したときには少なくとも一方が弾性撓みして干渉状態が解除され、前記両ハウジングが正規嵌合状態に至ると互いに係止して前記両ハウジングを離脱規制状態にロックする一対のロック部が設けられており、前記インナハウジングには、前記雌側ハウジングを前記雄側ハウジングへ嵌合させる方向へ動かすための操作部が設けられ、前記インナハウジングと前記アウタハウジングには、互いに係止することにより前記インナハウジングが前記保護位置から前記保護解除位置へ進出することを規制する一対の仮係止部と、前記インナハウジングが前記保護解除位置へ進出した状態で互いに係止する一対の本係止部とが設けられ、前記一対の仮係止部の係止状態は、前記一対のロック部の干渉状態を解除するのに必要な嵌合力よりも小さい力で前記操作部を操作したときに解除され、前記一対の本係止部は、前記一対のロック部の干渉状態を解除するのに必要な嵌合力と同じ力で前記操作部を操作しても、係止状態を維持するようになっているところに特徴を有する。
【発明の効果】
【０００８】
＜請求項１の発明＞
両ハウジングを嵌合する際には、インナハウジングを保護解除位置へ移動させれば、雌側シール部が雄側シール部と密着することにより両ハウジングの嵌合部分がシールされる。
雌側ハウジングと雄側ハウジングが非嵌合の状態では、インナハウジングを保護位置に配置すれば、インナハウジングの外周の雌側シール部は、アウタハウジングで覆い隠されて異物の干渉から保護される。また、雄側ハウジングのフード部はアウタハウジングを包囲するようになっているので、インナハウジングとアウタハウジングとの隙間にフード部を進入させるための嵌合空間を確保する必要がない。したがって、インナハウジングの外周とアウタハウジングの内周との隙間を狭くすることができるので、インナハウジングとアウタハウジングとの隙間に侵入した異物から雌側シール部を確実に保護することができる。
【０００９】
＜請求項２の発明＞
雌側シール部がインナハウジングとは別体のシールリングである場合は、インナハウジングを進退させるときに、シールリングが、アウタハウジングの内周と接触して位置ずれすることが懸念される。しかし、本発明は、雌側シール部をインナハウジングと一体をなすシール面としたから、アウタハウジングの内周と接触しても、シール面が位置ずれする虞はない。
【００１０】
＜請求項３の発明＞
両ハウジングを嵌合する際には、一対の仮係止部の係止によりインナハウジングを保護位置に仮保持した状態で、インナハウジングの操作部を嵌合方向に操作する。嵌合の途中で、一対のロック部が干渉することにより両ハウジングの嵌合動作が規制されるが、この干渉状態から操作部に付与する操作力を高めると、一対のロック部が干渉状態を保ったまま、一対の仮係止部の係止が解除されるので、インナハウジングが保護位置から保護解除位置へ進出する。この状態で、操作部に付与する操作力を高めると、一対のロック部の干渉状態が解除されるので、少なくとも一方のロック部が弾性撓みして両ロック部の干渉状態が解除され、両ハウジングの嵌合動作が再開する。そして、両ハウジングが正規の嵌合状態に到達すると、一対のロック部の係止により両ハウジングが離脱規制状態にロックされる。
本発明によれば、両ハウジングが非嵌合であってインナハウジングが保護位置にある状態から操作部をワンアクション操作するだけで、インナハウジングを保護位置から保護解除位置へ進出させる動作と、両ハウジングを正規嵌合させる動作の両方を行うことができるので、２つの動作を独立した操作で行う場合に比べると、操作性に優れている。
【図面の簡単な説明】
【００１１】
【図１】実施形態１において雌側ハウジングと雄側ハウジングが非嵌合の状態をあらわす断面図
【図２】両ハウジングの嵌合途中の状態をあらわす断面図
【図３】両ハウジングの嵌合が更に進んだ状態をあらわす断面図
【図４】両ハウジングが正規嵌合した状態をあらわす断面図
【図５】実施形態２において雌側ハウジングと雄側ハウジングが非嵌合の状態をあらわす断面図
【図６】両ハウジングの嵌合途中の状態をあらわす断面図
【図７】両ハウジングの嵌合が更に進んだ状態をあらわす断面図
【図８】両ハウジングが正規嵌合した状態をあらわす断面図
【図９】実施形態３の雌側ハウジングの断面図
【図１０】雌側ハウジングと雄側ハウジングが非嵌合の状態をあらわす断面図
【図１１】両ハウジングが正規嵌合した状態をあらわす断面図
【図１２】実施形態４の雌側ハウジングの断面図
【図１３】雌側ハウジングと雄側ハウジングが非嵌合の状態をあらわす断面図
【図１４】両ハウジングが正規嵌合した状態をあらわす断面図
【発明を実施するための形態】
【００１２】
＜実施形態１＞
以下、本発明を具体化した実施形態１を図１〜図４を参照して説明する。本実施形態１のコネクタＡは、雌側ハウジング１０と雄側ハウジング３０とを備えて構成されている。
【００１３】
雌側ハウジング１０は、合成樹脂製のインナハウジング１１と同じく合成樹脂製のアウタハウジング２０とを組み付けて構成されている。インナハウジング１１内には、雌端子金具１９を収容するためのキャビティ１２が形成されている。インナハウジング１１はブロック状をなし、インナハウジング１１の前端部の外周には、インナハウジング１１と一体をなすシール面１３（本発明の構成要件である雌側シール部）が形成されている。インナハウジング１１の上面（外面）には、第１規制突起１４と、第１規制突起１４よりも後方に位置する第２規制突起１５とが形成されている。インナハウジング１１の下面（外面）には、山形に突出した係止突起１６（本発明の構成要件であるインナハウジングの仮係止部）と、仮係止部よりも後方に位置する係止段部１７（本発明の構成要件であるインナハウジングの本係止部）とが形成されている。インナハウジング１１の後端面は、操作部１８となっている。
【００１４】
アウタハウジング２０は、前後両面が開放された略角筒状をなし、アウタハウジング２０の内部空間は、インナハウジング１１を収容するための収容空間２１となっている。収容空間２１の上側の内面（天井面）には、斜め下前方へ片持ち状に延出した弾性撓み可能な抜止片２２が形成されている。収容空間２１の下側の内面（底面）には、斜め上後方へ片持ち状に延出した形態の弾性撓み可能な撓み係止片２３（本発明の構成要件であるアウタハウジングの仮係止部であり、本係止部）が形成されている。アウタハウジング２０の上面（外面）には、後方へ片持ち状に延出した形態であって、上下方向（両ハウジング１０，３０の嵌合方向と交差する方向）へ弾性撓み可能なロックアーム２４（本発明の構成要件である雌側ハウジングのロック部）が形成されている。ロックアーム２４の上面にはロック突起２５が形成されている。
【００１５】
雌側ハウジング１０は、アウタハウジング２０の後方からインナハウジング１１を収容空間２１内に挿入して組み付けられている。両ハウジング１０，３０が非嵌合の状態（両ハウジング１０，３０を嵌合する前の状態、又は両ハウジング１０，３０を離脱した状態）では、インナハウジング１１のシール面１３を保護するために、インナハウジング１１を、図１，２に示す保護位置に配置する。インナハウジング１１が保護位置にある状態では、前後方向（両ハウジング１０，３０の嵌合・離脱方向と平行な方向）においてインナハウジング１１のうち前端から、後端よりも少し前方の領域が、収容空間２１内に収容される。インナハウジング１１の前端部に形成されているシール面１３は、その全領域がアウタハウジング２０によって覆い隠されている。
【００１６】
また、撓み係止片２３が係止突起１６に対して前方から係止することにより、インナハウジング１１はアウタハウジング２０に対して前止まりされるとともに、抜止片２２が第１規制突起１４に対して後方から係止することによりインナハウジング１１が後方への離脱（抜け）を規制される。これらの係止作用により、インナハウジング１１は、保護位置において、アウタハウジング２０に対して前後方向への移動を規制された状態に保持される。
【００１７】
また、インナハウジング１１が保護位置にある状態で操作部１８に後方から押し操作力を付与すると、係止突起１６と撓み係止片２３との係止が解除され、撓み係止片２３が係止突起１６から解離するように弾性撓みする。これにより、インナハウジング１１がアウタハウジング２０に対して前方へ相対移動する。そして、インナハウジング１１が図３，４に示す保護解除位置に到達すると、係止段部１７が撓み係止片２３に対して後方から係止することにより、インナハウジング１１が前止まりされるとともに、第２規制突起１５が抜止片２２に対して前方から係止する。これらの係止作用により、インナハウジング１１は、保護解除位置において、アウタハウジング２０に対して前後方向への移動を規制された状態に保持される。
【００１８】
インナハウジング１１が保護解除位置に移動すると、インナハウジング１１の前端部、即ち、シール面１３が形成されている領域が、収容空間２１の前方、つまりアウタハウジング２０の前端面よりも前方へ突出した状態となる。インナハウジング１１が保護解除位置あって両ハウジング１０，３０が非嵌合の状態では、シール面１３が雌側ハウジング１０の外面に露出するので、シール面１３は異物の干渉による損傷などを受け得る。
【００１９】
雄側ハウジング３０は、合成樹脂製であり、ブロック状の端子保持部３１と、端子保持部３１の外周から前方（雄側ハウジング３０が雌側ハウジング１０に対して嵌合するときに移動する方向と同じ方向）へ延出した角筒状のフード部３２とを一体に形成したものである。端子保持部３１には雄端子金具３６が保持され、端子保持部３１の前端面（フード部３２の奥端面）から雄端子金具３６のタブ３７が突出している。端子保持部３１には、その前端面を凹ませた形態の嵌合凹部３３が形成されている。嵌合凹部３３の内周には、タブ３７を包囲する形態のシールリング３４（本発明の構成要件である雄側シール部）が装着されている。フード部３２を構成する上壁部の前端部には、下方（フード部３２の内側）へ突出する受け部３５（本発明の構成要件である雄側ハウジングのロック部）が形成されている。
【００２０】
次に、本実施形態１の作用を説明する。両ハウジング１０，３０を嵌合する際には、インナハウジング１１が保護位置に保持されている状態で、雌側ハウジング１０をフード部３２内に進入させる。このとき、インナハウジング１１だけでなくアウタハウジング２０もフード部３２内に収容される。そして、一方の手で雄側ハウジング３０を掴みながら、他方の手で操作部１８を押し操作し、両ハウジング１０，３０の嵌合を進めると、図２に示すように、ロックアーム２４のロック突起２５と受け部３５とが突き当たって干渉状態となり、ロック突起２５と受け部３５の干渉（係止）により、両ハウジング１０，３０の嵌合動作が規制される。このロック突起２５と受け部３５の干渉状態を解除するために必要な嵌合力（係止力）は、撓み係止片２３と係止突起１６との係止力よりも大きい。
【００２１】
この状態から、操作部１８に付与する操作力を強めると、撓み係止片２３が弾性撓みして係止突起１６から解離し、保護位置に保持されていたインナハウジング１１が、図３に示すように保護解除位置まで前進し、撓み係止片２３と係止段部１７との係止により保護解除位置に保持される。この間、ロックアーム２４が弾性撓みせず、ロック突起２５と受け部３５との干渉状態が保持されるので、両ハウジング１０，３０の嵌合は進まない。また、撓み係止片２３と係止段部１７との係止力は、ロック突起２５と受け部３５との干渉状態を解除するために必要な嵌合力よりも大きい。
【００２２】
インナハウジング１１が保護解除位置へ移動した状態から、操作部１８に付与する押し操作力を強めると、撓み係止片２３と係止段部１７との係止状態が維持されたままで、ロックアーム２４が弾性撓みし、ロック突起２５が受け部３５から解離する。これにより、両ハウジング１０，３０の嵌合が進み、図４に示すように、両ハウジング１０，３０が正規の嵌合状態となる。すると、ロックアーム２４が弾性復帰してロック突起２５と受け部３５が係止し、この係止作用により、両ハウジング１０，３０が離脱を規制された状態にロックされる。
【００２３】
両ハウジング１０，３０が正規嵌合されると、アウタハウジング２０から前方へ突出したインナハウジング１１の前端部が、嵌合凹部３３内に進入し、シール面１３がシールリング３４の内周面に対して弾性的に密着する。これにより、両ハウジング１０，３０の嵌合部分が液密状にシールされるので、外部から両ハウジング１０，３０の隙間に水が浸入しても、シールリング３４とシール面１３との密着領域で、それ以上の浸水が阻止される。したがって、雌端子金具１９と雄端子金具３６との接続部分の防水状態が保たれる。
【００２４】
両ハウジング１０，３０が正規嵌合されている状態から両ハウジング１０，３０を離脱させる際には、ロックアーム２４をロック解除方向へ弾性撓みさせてロック突起２５と受け部３５との係止を解除し、そのまま両ハウジング１０，３０を引き離す。また、保護解除位置に保持されているインナハウジング１１は、アウタハウジング２０に対して後方へ相対移動させて、保護位置に保持する。このインナハウジング１１を保護位置へ移動させる作業と、ロックアーム２４のロックを解除して両ハウジング１０，３０を離脱させる作業は、どちらを先に行ってもよい。
【００２５】
本実施形態１のコネクタＡを構成する雌側ハウジング１０は、外周にシール面１３を備え、雌端子金具１９を収容するインナハウジング１１と、インナハウジング１１を、シール面１３を覆い隠す保護位置とシール面１３に対する保護を解除する保護解除位置との間での進退を可能に保持するアウタハウジング２０とを備えている。一方、雄側ハウジング３０は、雄端子金具３６を保持する端子保持部３１と、端子保持部３１から突出した形態であってアウタハウジング２０を包囲するフード部３２と、端子保持部３１に設けられ、シール面１３と密着可能なシールリング３４とを備えている。
【００２６】
そして、雌側ハウジング１０と雄側ハウジング３０が非嵌合の状態では、インナハウジング１１を保護位置に配置すれば、インナハウジング１１の外周のシール面１３は、アウタハウジング２０で覆い隠されるので異物の干渉から保護される。また、雄側ハウジング３０のフード部３２はアウタハウジング２０を包囲するようになっているので、インナハウジング１１とアウタハウジング２０との隙間にフード部３２を進入させるための嵌合空間を確保する必要がない。したがって、インナハウジング１１の外周とアウタハウジング２０の内周との隙間を狭くすることができるので、インナハウジング１１とアウタハウジング２０との隙間に侵入した異物からシール面１３を確実に保護することができる。
【００２７】
また、インナハウジング１１に設けられた雌側シール部は、インナハウジング１１の外周面に一体に形成したシール面１３となっている。この構成の技術的意義は、次の通りである。雌側シール部がインナハウジングとは別体のシールリングである場合は、インナハウジングを進退させるときに、シールリングが、アウタハウジング２０の内周と接触して位置ずれすることが懸念される。しかし、本実施形態１は、雌側シール部をインナハウジング１１と一体をなすシール面１３としたから、アウタハウジング２０の内周と接触しても、シール面１３が位置ずれする虞はない。
【００２８】
また、雌側ハウジング１０と雄側ハウジング３０には、両ハウジング１０，３０の嵌合途中で互いに干渉することにより両ハウジング１０，３０の嵌合動作を規制し、この干渉状態において両ハウジング１０，３０に所定の嵌合力を付与したときには少なくとも一方が弾性撓みして干渉状態が解除され、両ハウジング１０，３０が正規嵌合状態に至ると互いに係止して両ハウジング１０，３０を離脱規制状態にロックする一対のロック部（ロックアーム２４と受け部３５）が設けられている。インナハウジング１１には、雌側ハウジング１０を雄側ハウジング３０へ嵌合させる方向へ動かすための操作部１８が設けられている。
【００２９】
また、インナハウジング１１とアウタハウジング２０には、互いに係止することによりインナハウジング１１が保護位置から保護解除位置へ進出することを規制する一対の仮係止部としての撓み係止片２３と係止突起１６が設けられている。さらに、インナハウジング１１とアウタハウジング２０には、インナハウジング１１が保護解除位置へ進出した状態で互いに係止する一対の本係止部としての撓み係止片２３と係止段部１７が設けられている。そして、撓み係止片２３と係止突起１６の係止状態は、ロックアーム２４と受け部３５の干渉状態を解除するのに必要な嵌合力よりも小さい力で操作部１８を操作したときに解除される。また、撓み係止片２３と係止段部１７は、ロックアーム２４と受け部３５の干渉状態を解除するのに必要な嵌合力と同じ力で操作部１８を操作しても、係止状態を維持するようになっている。
【００３０】
この構成によれば、両ハウジング１０，３０が非嵌合であってインナハウジング１１が保護位置にある状態から操作部１８をワンアクション操作するだけで、インナハウジング１１を保護位置から保護解除位置へ進出させる動作と、両ハウジング１０，３０を正規嵌合させる動作の両方を行うことができるので、２つの動作を独立した操作で行う場合に比べると、操作性に優れている。
【００３１】
＜実施形態２＞
以下、本発明を具体化した実施形態２を図５〜図８を参照して説明する。本実施形態２のコネクタＢは、雌側ハウジング４０と雄側ハウジング５０の嵌合部分をシールするためのシール部を、実施形態１とは異なる形態としたものである。その他の構成については上記実施形態１と同じであるため、同じ構成については、同一符号を付し、構造、作用及び効果の説明は省略する。
【００３２】
インナハウジング１１の前端部の外周には、インナハウジング１１とは別体をなすシールリング２６（本発明の構成要件である雌側シール部）が、前後方向への移動を規制された状態で取り付けられている。インナハウジング１１が保護位置にある状態では、インナハウジング１１の前端部に取り付けられているシールリング２６の全領域が、収容空間２１内に収容されてアウタハウジング２０により覆い隠されている。
【００３３】
また、インナハウジング１１が保護解除位置にある状態では、インナハウジング１１の前端部、即ち、シールリング２６が形成されている領域が、収容空間２１の前方へ露出し、アウタハウジング２０の前端面よりも前方へ突出した状態となる。この状態では、シールリング２６が雌側ハウジング４０の外面に露出するので、シールリング２６は異物の干渉による損傷などを受け得る。雄側ハウジング５０の端子保持部３１には、その前端面を凹ませた形態の嵌合凹部３３が形成されている。嵌合凹部３３の内周は、雄側ハウジング５０と一体をなすシール面３８（本発明の構成要件である雄側シール部）となっている。
【００３４】
次に、本実施形態２の作用を説明する。両ハウジング４０，５０を嵌合する際には、インナハウジング１１が保護位置に保持されている状態で、雌側ハウジング４０をフード部３２内に進入させ、操作部１８を押し操作して両ハウジング４０，５０の嵌合を進める。すると、図６に示すように、ロックアーム２４のロック突起２５と受け部３５とが突き当たって干渉状態となり、ロック突起２５と受け部３５の干渉（係止）により、両ハウジング４０，５０の嵌合動作が規制される。
【００３５】
この状態から、操作部１８に付与する操作力を強めると、撓み係止片２３が弾性撓みして係止突起１６から解離し、保護位置に保持されていたインナハウジング１１が、図７に示すように保護解除位置へ前進し、撓み係止片２３と係止段部１７との係止により、保護解除位置に保持される。この間、ロック突起２５と受け部３５との干渉状態が保持されるので、両ハウジング４０，５０の嵌合は進まない。
【００３６】
そして、インナハウジング１１が保護解除位置へ移動した状態から、操作部１８に付与する押し操作力を強めると、撓み係止片２３と係止段部１７との係止状態が維持されたままで、ロックアーム２４が弾性撓みし、ロック突起２５が受け部３５から解離するので、両ハウジング４０，５０の嵌合が進む。そして、図８に示すように、両ハウジング４０，５０が正規の嵌合状態となると、ロックアーム２４が弾性復帰してロック突起２５と受け部３５が係止し、この係止作用により、両ハウジング４０，５０が離脱を規制された状態にロックされる。
【００３７】
両ハウジング４０，５０が正規嵌合されると、アウタハウジング２０から前方へ突出したインナハウジング１１の前端部のシールリング２６が、嵌合凹部３３内に進入し、シール面３８に対して弾性的に密着する。これにより、両ハウジング４０，５０の嵌合部分が液密状にシールされる。
【００３８】
＜実施形態３＞
次に、本発明を具体化した実施形態３を図９〜図１１を参照して説明する。本実施形態３のコネクタＣは、雌側ハウジング６０と雄側ハウジング８０とを備えて構成されている。尚、本実施形態３の作用及び効果については、上記実施形態１と同じであるため、説明は省略する。
【００３９】
雌側ハウジング６０は、合成樹脂製のインナハウジング６１と同じく合成樹脂製のアウタハウジング７０とを組み付けて構成されている。インナハウジング６１内には、雌端子金具６８を収容するためのキャビティ６２が形成されている。インナハウジング６１はブロック状をなし、インナハウジング６１の前端部の外周には、インナハウジング６１と一体をなすシール面６３（本発明の構成要件である雌側シール部）が形成されている。インナハウジング６１の上面（外面）には、規制突起６４が形成されている。インナハウジング６１の下面（外面）には、山形に突出した係止突起６５と、係止突起６５よりも後方に位置する係止段部６６と、係止突起６５よりも前方に位置する抜止め段部６７とが形成されている。
【００４０】
アウタハウジング７０は、前後両面が開放された略角筒状をなし、アウタハウジング７０の内部空間は、インナハウジング６１を収容するための収容空間７１となっている。収容空間７１の上側の内面（天井面）には、斜め下前方へ片持ち状に延出した弾性撓み可能な抜止片７２が形成されている。収容空間７１の下側の内面（底面）には、斜め上後方へ片持ち状に延出した形態の弾性撓み可能な撓み係止片７３が形成されている。アウタハウジング７０の上面（外面）には、後方へ片持ち状に延出した形態であって、上下方向（両ハウジング６０，８０の嵌合方向と交差する方向）へ弾性撓み可能なロックアーム７４が形成されている。ロックアーム７４の上面にはロック突起７５が形成されている。
【００４１】
雌側ハウジング６０は、アウタハウジング７０の収容区間内にインナハウジング６１を挿入して組み付けられている。両ハウジング６０，８０が非嵌合の状態（両ハウジング６０，８０を嵌合する前の状態、又は両ハウジング６０，８０を離脱した状態）では、インナハウジング６１のシール面６３を保護するために、インナハウジング６１を、図９に示す保護位置に配置する。インナハウジング６１が保護位置にある状態では、前後方向（両ハウジング６０，８０の嵌合・離脱方向と平行な方向）においてインナハウジング６１のうち前端から、後端よりも少し前方の領域が、収容空間７１内に収容される。インナハウジング６１の前端部に形成されているシール面６３は、その全領域がアウタハウジング７０によって覆い隠されている。
【００４２】
また、撓み係止片７３が係止突起６５に対して前方から係止することにより、インナハウジング６１はアウタハウジング７０に対して前止まりされるとともに、抜止め段部６７が撓み係止片７３の基端部（根元部）に対して前方から係止することによりインナハウジング６１が後方への離脱（抜け）を規制される。これらの係止作用により、インナハウジング６１は、保護位置において、アウタハウジング７０に対して前後方向への移動を規制された状態に保持される。
【００４３】
また、保護位置にあるインナハウジング６１に対し後方からの押し操作力を付与すると、係止突起６５と撓み係止片７３との係止が解除され、撓み係止片７３が係止突起６５から解離するように弾性撓みする。これにより、インナハウジング６１がアウタハウジング７０に対して前方へ相対移動する。そして、インナハウジング６１が図１０に示す保護解除位置に到達すると、係止段部６６が撓み係止片７３に対して後方から係止することにより、インナハウジング６１が前止まりされるとともに、規制突起６４が抜止片７２に対して前方から係止する。これらの係止作用により、インナハウジング６１は、保護解除位置において、アウタハウジング７０に対して前後方向への移動を規制された状態に保持される。
【００４４】
インナハウジング６１が保護解除位置に移動すると、インナハウジング６１の前端部、即ち、シール面６３が形成されている領域が、収容空間７１の前方へ露出し、アウタハウジング７０の前端面よりも前方へ突出した状態となる。この状態では、シール面６３が雌側ハウジング６０の外面に露出するので、シール面６３は異物の干渉による損傷などを受け得る。
【００４５】
雄側ハウジング８０は、合成樹脂製であり、ブロック状の端子保持部８１と、端子保持部８１の外周から前方（雄側ハウジング８０が雌側ハウジング６０に対して嵌合するときに移動する方向と同じ方向）へ延出した角筒状のフード部８２とを一体に形成したものである。端子保持部８１には雄端子金具８６が保持され、端子保持部８１の前端面（フード部８２の奥端面）から雄端子金具８６のタブ８７が突出している。端子保持部８１には、その前端面を凹ませた形態の嵌合凹部８３が形成されている。嵌合凹部８３の内周には、タブ８７を包囲する形態のシールリング８４（本発明の構成要件である雄側シール部）が装着されている。フード部８２を構成する上壁部の前端部には、下方（フード部８２の内側）へ突出する受け部８５が形成されている。
【００４６】
次に、本実施形態３の作用を説明する。両ハウジング６０，８０を嵌合する際には、保護位置に保持されているインナハウジング６１を、予め、保護解除位置へ前進させておく。その状態から、雌側ハウジング６０をフード部８２内に進入させる。このとき、インナハウジング６１だけでなくアウタハウジング７０もフード部８２内に収容される。そして、両ハウジング６０，８０の嵌合を進めると、嵌合の途中では、ロック突起７５と受け部８５との干渉によってロックアーム７４が弾性撓みする。そして、両ハウジング６０，８０が正規の嵌合状態に到達すると、ロックアーム７４が弾性復帰してロック突起７５と受け部８５が係止し、この係止作用により、両ハウジング６０，８０が離脱を規制された状態にロックされる。
【００４７】
両ハウジング６０，８０が正規嵌合されると、アウタハウジング７０から前方へ突出していたインナハウジング６１の前端部が、嵌合凹部８３内に進入し、シール面６３がシールリング８４の内周面に対して弾性的に密着する。これにより、両ハウジング６０，８０の嵌合部分が液密状にシールされるので、外部から両ハウジング６０，８０の隙間に水が浸入しても、シールリング８４とシール面６３との密着領域で、それ以上の浸水が阻止される。したがって、雌端子金具６８と雄端子金具８６との接続部分の防水状態が保たれる。
【００４８】
両ハウジング６０，８０が正規嵌合されている状態から両ハウジング６０，８０を離脱させる際には、ロックアーム７４をロック解除方向へ弾性撓みさせてロック突起７５と受け部８５との係止を解除し、そのまま両ハウジング６０，８０を引き離す。また、保護解除位置に保持されているインナハウジング６１は、アウタハウジング７０に対して後方へ相対移動させて、保護位置に保持する。このインナハウジング６１を保護位置へ移動させる作業と、ロックアーム７４のロックを解除して両ハウジング６０，８０を離脱させる作業は、どちらを先に行ってもよい。
【００４９】
＜実施形態４＞
次に、本発明を具体化した実施形態４を図１２〜図１４を参照して説明する。本実施形態４のコネクタＤは、雌側ハウジング９０と雄側ハウジング９５の嵌合部分をシールするためのシール部を、実施形態３とは異なる形態としたものである。その他の構成については上記実施形態３と同じであるため、同じ構成については、同一符号を付し、構造、作用及び効果の説明は省略する。
【００５０】
インナハウジング６１の前端部の外周には、インナハウジング６１とは別体をなすシールリング６９（本発明の構成要件である雌側シール部）が、前後方向への移動を規制された状態で取り付けられている。インナハウジング６１が保護位置にある状態では、インナハウジング６１の前端部に取り付けられているシールリング６９の全領域が、収容空間７１内に収容されてアウタハウジング７０により覆い隠されている。
【００５１】
また、インナハウジング６１が保護解除位置にある状態では、インナハウジング６１の前端部、即ち、シールリング６９が形成されている領域が、収容空間の前方へ露出し、アウタハウジング７０の前端面よりも前方へ突出した状態となる。この状態では、シールリング６９が雌側ハウジング９０の外面に露出するので、シールリング６９は異物の干渉による損傷などを受け得る。
【００５２】
雄側ハウジング９５の端子保持部８１には、その前端面を凹ませた形態の嵌合凹部８３が形成されている。嵌合凹部８３の内周は、雄側ハウジング９５と一体をなすシール面８８（本発明の構成要件である雄側シール部）となっている。
【００５３】
次に、本実施形態４の作用を説明する。両ハウジング９０，９５を嵌合する際には、保護位置に保持されているインナハウジング６１を、予め、保護解除位置へ前進させておく。その状態から、雌側ハウジング９０をフード部８２内に進入させる。このとき、インナハウジング６１だけでなくアウタハウジング７０もフード部８２内に収容される。そして、両ハウジング９０，９５の嵌合を進めると、嵌合の途中では、ロック突起７５と受け部８５との干渉によってロックアーム７４が弾性撓みする。
【００５４】
両ハウジング９０，９５が正規の嵌合状態に到達すると、ロックアーム７４が弾性復帰してロック突起７５と受け部８５が係止し、この係止作用により、両ハウジング９０，９５が離脱を規制された状態にロックされる。両ハウジング９０，９５が正規嵌合されると、アウタハウジング７０から前方へ突出しているインナハウジング６１の前端部のシールリング６９が、嵌合凹部８３内に進入し、シールリング６９がシール面８８に対して弾性的に密着する。これにより、両ハウジング９０，９５の嵌合部分が液密状にシールされる。
【００５５】
＜他の実施形態＞
本発明は上記記述及び図面によって説明した実施形態に限定されるものではなく、例えば次のような実施形態も本発明の技術的範囲に含まれる。
（１）上記実施形態１，３では、雌側シール部をインナハウジングと一体のシール面とし、雄側シール部を、雄側ハウジングとは別体の独立部品であるシールリングとしたが、雌側シール部と雄側シール部の両方を、独立部品のシールリングとしてもよい。
（２）上記実施形態２，４では、雄側シール部を雄側ハウジングと一体のシール面とし、雌側シール部を、インナハウジングとは別体の独立部品であるシールリングとしたが、雌側シール部と雄側シール部の両方を、独立部品のシールリングとしてもよい。
（３）上記実施形態１，２では、雌側ハウジングのロック部を弾性撓み可能なロックアームとし、雄側ハウジングのロック部を弾性撓みしない受け部としたが、雌側ハウジングのロック部を弾性撓みしない受け部とし、雄側ハウジングのロック部を弾性撓み可能なロックアームとしてもよい。
（４）上記実施形態１，２では、雌側ハウジングと雄側ハウジングのうち雌側ハウジングのロック部だけを弾性撓み可能なロックアームとしたが、雌側ハウジングのロック部と雄側ハウジングのロック部の両方を弾性撓み可能なロックアームとしてもよい。
【符号の説明】
【００５６】
Ａ…コネクタ
１０…雌側ハウジング
１１…インナハウジング
１３…シール面（雌側シール部）
１６…係止突起（インナハウジングの仮係止部）
１７…係止段部（インナハウジングの本係止部）
１８…操作部
１９…雌端子金具
２０…アウタハウジング
２３…撓み係止片（アウタハウジングの仮係止部、本係止部）
２４…ロックアーム（雌側ハウジングのロック部）
３０…雄側ハウジング
３１…端子保持部
３２…フード部
３４…シールリング（雄側シール部）
３５…受け部（雄側ハウジングのロック部）
３６…雄端子金具
Ｂ，Ｃ，Ｄ…コネクタ
２６，６９…シールリング（雌側シール部）
３８，８８…シール面（雄側シール部）
４０，６０，９０…雌側ハウジング
５０，８０，９５…雄側ハウジング
６１…インナハウジング
６３…シール面（雌側シール部）
６８…雌端子金具
７０…アウタハウジング
８１…端子保持部
８２…フード部
８４…シールリング（雄側シール部）
８６…雄端子金具
【図１】
2013038028.tif 000003
【図２】
2013038028.tif 000004
【図３】
2013038028.tif 000005
【図４】
2013038028.tif 000006
【図５】
2013038028.tif 000007
【図６】
2013038028.tif 000008
【図７】
2013038028.tif 000009
【図８】
2013038028.tif 000010
【図９】
2013038028.tif 000011
【図１０】
2013038028.tif 000012
【図１１】
2013038028.tif 000013
【図１２】
2013038028.tif 000014
【図１３】
2013038028.tif 000015
【図１４】
2013038028.tif 000016